(57)【要約】【目的】  フレーム同士の直角連結の際の直角精度および直角強度を向上させることのできるフレーム連結構造を提供する。【構成】  一のフレーム（１）の側面と他のフレーム（２）の小口面とを連結部材（３）を介して互いに直角に連結させるフレーム連結構造であって、連結部材（３）は、一のフレーム（１）および他のフレーム（２）に設けられた蟻溝（１１）（２１）にそれぞれ挿入されて締結ネジ（４ａ）（４ｂ）（５ａ）（５ｂ）で固定される、互いに垂直となる２つの突出部（３１）（３２）を有しており、他のフレーム（２）は、その蟻溝（２１）の奥壁面（２１１）にて、締結ネジ（５）の締付け時にネジ先端部（５１ａ）（５１ｂ）が接触してその回動に従って他のフレーム（２）を一のフレーム（１）に引き付けるテーパー面部（２１２）を有している。【選択図】図１
2005207559.tif 000002
【特許請求の範囲】
【請求項１】
一のフレームの側面と他のフレームの小口面とを連結部材を介して互いに直角に連結させるフレーム連結構造であって、
連結部材は、一のフレームに設けられた蟻溝および他のフレームに設けられた蟻溝にそれぞれ挿入されて締結ネジで固定される、互いに垂直となる２つの突出部を有しており、
他のフレームは、その蟻溝の奥壁面にて、締結ネジの締付け時にネジ先端部が接触してその回動に従って他のフレームを一のフレームに引き付けるテーパー面部を有していることを特徴とするフレーム連結構造。
【請求項２】
一のフレームの側面と他のフレームの小口面とを連結部材を介して互いに直角に連結させるフレーム連結構造であって、
連結部材は、一のフレームに設けられた蟻溝および他のフレームに設けられた中空部にそれぞれ挿入されて締結ネジで固定される、互いに垂直となる２つの突出部を有しており、
他のフレームの中空部に挿入且つネジ固定される突出部は、その外周面にて、締結ネジの締付け時にネジ先端部が接触してその回動に従って他のフレームを一のフレームに引き付けるテーパー面部を有していることを特徴とするフレーム連結構造。
【請求項３】
一のフレームの側面と他のフレームの小口面とを連結部材を介して互いに直角に連結させるフレーム連結構造であって、
連結部材は、一のフレームに設けられた蟻溝および他のフレームに設けられた中空部にそれぞれ挿入されて締結ネジで固定される、互いに垂直となる２つの突出部を有しており、
他のフレームは、その中空部を形成する壁板にて、締結ネジの締付け時にネジ頭のテーパー面部が接触してその回動に従って他のフレームを一のフレームに引き付けるテーパー面部を有していることを特徴とするフレーム連結構造。
【発明の詳細な説明】
【技術分野】
【０００１】
この出願の発明は、フレーム連結構造に関するものである。さらに詳しくは、この出願の発明は、各種フレーム同士の直角連結に有用な、直角精度および直角強度を向上させることのできるフレーム連結構造に関するものである。
【背景技術】
【０００２】
従来、フレーム同士を互いに直角に連結させる構造としては、たとえば特許文献１に記載のものが知られている。このものは、一のフレームと他のフレームとを連結部材およびジョイント部材を介して直角連結させており、より具体的には、他のフレームの小口面に連結部材の一端をタッピングネジにより結合させ、この連結部材の他端にジョイント部材を回動自在に取り付け、このジョイント部材を一のフレームの側面に設けられた蟻溝に係止させることで、一のフレームの側面と他のフレームの小口面とを当接させて直角連結させている。
【特許文献１】特開平８−３０３４１７号公報
【発明の開示】
【発明が解決しようとする課題】
【０００３】
しかしながら、上記特許文献１記載の従来のフレーム連結構造では、ジョイント部材をフレーム側面の蟻溝に挿入させ係止させているだけであるため、フレームのぐらつき等が生じ易く、直角精度や直角強度を高く保つことが難しい。
【０００４】
そこで、以上のとおりの事情に鑑み、この出願の発明は、直角連結の際の直角精度および直角強度を向上させて、正確な連結を実現することのできるフレーム連結構造を提供することを課題としている。
【課題を解決するための手段】
【０００５】
この出願の発明は、上記の課題を解決するものとして、第１には、一のフレームの側面と他のフレームの小口面とを連結部材を介して互いに直角に連結させるフレーム連結構造であって、連結部材は、一のフレームに設けられた蟻溝および他のフレームに設けられた蟻溝にそれぞれ挿入されて締結ネジで固定される、互いに垂直となる２つの突出部を有しており、他のフレームは、その蟻溝の奥壁面にて、締結ネジの締付け時にネジ先端部が接触してその回動に従って他のフレームを一のフレームに引き付けるテーパー面部を有していることを特徴とするフレーム連結構造を提供する。
【０００６】
第２には、一のフレームの側面と他のフレームの小口面とを連結部材を介して互いに直角に連結させるフレーム連結構造であって、連結部材は、一のフレームに設けられた蟻溝および他のフレームに設けられた中空部にそれぞれ挿入されて締結ネジで固定される、互いに垂直となる２つの突出部を有しており、他のフレームの中空部に挿入且つネジ固定される突出部は、その外周面にて、締結ネジの締付け時にネジ先端部が接触してその回動に従って他のフレームを一のフレームに引き付けるテーパー面部を有していることを特徴とするフレーム連結構造を提供する。
【０００７】
第３には、一のフレームの側面と他のフレームの小口面とを連結部材を介して互いに直角に連結させるフレーム連結構造であって、連結部材は、一のフレームに設けられた蟻溝および他のフレームに設けられた中空部にそれぞれ挿入されて締結ネジで固定される、互いに垂直となる２つの突出部を有しており、他のフレームは、その中空部を形成する壁板にて、締結ネジの締付け時にネジ頭のテーパー面部が接触してその回動に従って他のフレームを一のフレームに引き付けるテーパー面部を有していることを特徴とするフレーム連結構造を提供する。
【発明の効果】
【０００８】
上記第１のフレーム連結構造によれば、上記のとおりの連結部材を用い、且つ他のフレームの蟻溝に上記のとおりのテーパー面部を設けておくことで、連結部材の各突出部を対応するフレームの蟻溝に挿入且つ固定させ、さらにテーパー面部にネジ先端部を接触させた状態の締結ネジの締め付けにより他のフレームを一のフレームに引き付けて、フレーム同士を従来よりも高い直角精度および直角強度で直角連結させることができる。
【０００９】
上記第２のフレーム連結構造によれば、上記のとおりの連結部材を用い、且つ他のフレームの蟻溝に挿入される連結部材の突出部に上記のとおりのテーパー面部を設けておくことで、連結部材の各突出部を対応するフレームの蟻溝に挿入且つ固定させ、さらにテーパー面部にネジ先端部を接触させた状態の締結ネジの締め付けにより他のフレームを一のフレームに引き付けて、フレーム同士を従来よりも高い直角精度および直角強度で直角連結させることができる。
【００１０】
上記第３のフレーム連結構造によれば、上記のとおりの連結部材を用い、且つ他のフレームの中空部に上記のとおりのテーパー面部を設けておくことで、連結部材の各突出部を対応するフレームの蟻溝に挿入且つ固定させ、さらにテーパー面部にネジ先端部を接触させた状態の締結ネジの締め付けにより他のフレームを一のフレームに引き付けて、フレーム同士を従来よりも高い直角精度および直角強度で直角連結させることができる。
【発明を実施するための最良の形態】
【００１１】
［第１の実施形態］
図１〜図２は、各々、この出願の発明の一実施形態を示したものである。
【００１２】
本実施形態では、一のフレーム（１）と他のフレーム（２）とを互いの側面および小口面にて直角連結するための連結部材（３）が、互いに垂直となる２つの突出部（３１）（３２）を有するものとなっている。
【００１３】
一方の突出部（３１）は、少なくとも他のフレーム（２）の小口面よりも長い長尺なプレート状のものとなっており、一のフレーム（１）の側面に設けられた蟻溝（１１）への挿入後にネジ固定するための２本の締結ネジ（４ａ）（４ｂ）用のネジ孔（３１１ａ）（３１１ｂ）（図２参照）を、適宜位置にて同一線上に有している。
【００１４】
他方の突出部（３２）は、一方の突出部（３１）に対して垂直なプレート状のものとなっており、一方の突出部（３１）における他のフレーム（２）の小口面に面する部位の適宜位置にて当該一方の突出部（３１）と垂直に連結され一体化されている。また、他のフレーム（２）の側面に設けられた蟻溝（２１）への挿入後にネジ固定するための２本の締結ネジ（５ａ）（５ｂ）用のネジ孔（３２１ａ）（３２１ｂ）（図２参照）を、適宜位置にて同一線上に有している。
【００１５】
以上の連結部材（３）によって直角連結される一のフレーム（１）および他のフレーム（２）は、各々、その側面に長手方向に沿っての蟻溝（１１）（２１）が予め形成されたものとなっている。
【００１６】
またさらに、他のフレーム（２）の蟻溝（２１）には、その奥壁面（２１１）、つまり溝入口部分から挿入された締結ネジ（５ａ）（５ｂ）のネジ先端部（５１ａ）（５１ｂ）が向かう壁面において、締結ネジ（５ａ）（５ｂ）の締付け時にネジ先端部（５１ａ）（５１ｂ）が接触してその回動に従って他のフレーム（２）を一のフレーム（１）に引き付けるテーパー面部（２１２ａ）（２１２ｂ）が予め設けられている。本実施形態では、テーパー面部（２１２ａ）（２１２ｂ）は、締結ネジ（５ａ）（５ｂ）のテーパー状のネジ先端部（５１ａ）（５１ｂ）が当接してその回動時に滑り込み易い擂り鉢状の全体形状を有している。
【００１７】
これにおいて、まず、連結部材（３）の他方の突出部（３２）を他のフレーム（２）の蟻溝（２１）に小口面から挿入させ、且つ一方の突出部（３１）を一のフレーム（１）の蟻溝（１１）に小口面から挿入させることで、他のフレーム（２）の小口面および一のフレーム（１）の側面とを直角に仮連結させる。
【００１８】
次いで、この仮連結状態で、一方の突出部（３１）を、締結ネジ（４ａ）（４ｂ）のねじ込みにより一のフレーム（１）の蟻溝（１１）に固定させる。本実施形態では、締結ネジ（４ａ）（４ｂ）を蟻溝（１１）内の奥壁面（１１１）に向けてネジ孔（３１１ａ）（３１１ｂ）にねじ込み、ネジ孔（３１１ａ）（３１１ｂ）から突出したネジ先端部で奥壁面（１１１）を押し付けることで、突出部（３１）自体を、蟻溝（１１）内の手前壁面（１１２）、つまり奥壁面（１１１）に対向した溝入口付近に位置する内壁面の方に引き付け、そしてそれに押し付けて、蟻溝（１１）内に固定するようになっている。
【００１９】
続いて、このように一方の突出部（３１）が一のフレーム（１）の蟻溝（１１）へ固定された状態で、他方の突出部（３２）を、そのネジ孔（３２１ａ）（３２１ｂ）への締結ネジ（５ａ）（５ｂ）のねじ込みにより他のフレーム（２）の蟻溝（２１）に固定させるとともに、他のフレーム（２）を一のフレーム（１）へ引き付けて、直結連結を完了させる。
【００２０】
より具体的には、蟻溝（２１）の奥壁面（２１１）には上記のとおりのテーパー面部（２１２ａ）（２１２ｂ）が設けられており、まず、このテーパー面部（２１２ａ）（２１２ｂ）に、ネジ孔（３２１ａ）（３２１ｂ）から突出した締結ネジ（５ａ）（５ｂ）のネジ先端部（５１ａ）（５１ｂ）が接触する。この状態でさらに締結ネジ（５ａ）（５ｂ）をねじ込むと、ネジ先端部（５１ａ）（５１ｂ）がその回動に従ってテーパー面部（２１２ａ）（２１２ｂ）の傾斜に沿って滑り込み、他方の突出部（３２）を一方の突出部（３１）から離れる方向（図１中の矢印Ａの方向）にスライドさせる動きが、他のフレーム（２）を一のフレーム（１）に近づく方向（図１中の矢印Ｂの方向）に引き付ける動きとなって発生する。すなわち、締結ネジ（５ａ）（５ｂ）に対するねじ込み力がネジ先端部（５１ａ）（５１ｂ）およびテーパー面部（２１２ａ）（２１２ｂ）を介して他のフレーム（２）に対する引き付け力に変換されるのである。
【００２１】
これにより、他のフレーム（２）の小口面は一のフレーム（１）の側面にしっかりと当接して押し付けられ、高い直角精度および直角強度をもって正確な直角連結が実現される。
【００２２】
［第２の実施形態］
図３〜図６は、各々、この出願の発明の別の一実施形態を例示したものである。
【００２３】
本実施形態では、連結部材（３）の一方の突出部（３１）および一のフレーム（１）との構成は上記第１の実施形態と同様なものとなっているが、他のフレーム（２）に中空部（２２）が設けられており、この中空部（２２）を形成する壁板（２２１）に、締結ネジ（５ａ）（５ｂ）のネジ孔（２２２ａ）（２２２ｂ）が設けられている。そしてさらに、連結部材（３）の他方の突出部（３２）は、中空部（２２）に挿入されるものとなっており、この突出部（３２）自体に、上記第１の実施形態におけるテーパー面部（２１２ａ）（２１２ｂ）と同様なテーパー面部（３２２ａ）（３２２ｂ）が設けられている。
【００２４】
この場合さらに説明すると、まず、連結部材（３）の他方の突出部（３２）は、丸棒状のものとなっており、プレート状の一方の突出部（３１）における他のフレーム（２）の小口面に面する部位の適宜位置にて当該一方の突出部（３１）と垂直に連結され一体化されている。この連結一体化は、一方の突出部（３１）に設けられたネジ孔（３１２）への連結ネジ（６）のねじ込みにより行われている。連結ネジ（６）は、他方の突出部（３２）とは別体のものとし、一方の突出部（３１）にねじ込むだけでなく、他方の突出部（３２）へもねじ込むようにしてもよく、また他方の突出部（３２）の終端部分に突出して一体化されたものとし、他方の突出部（３２）全体を回動させて一方の突出部（３１）のネジ孔（３１２）にねじ込むようにしてもよい。
【００２５】
この丸棒状の他方の突出部（３２）には、他のフレーム（２）の中空部（２２）の壁板（２２１）に設けられたネジ孔（２２２ａ）（２２２ｂ）にねじ込まれ、それから突出した締結ネジ（５ａ）（５ｂ）のネジ先端部（５１ａ）（５１ｂ）が接触してその回動に従って他のフレーム（２）を一のフレーム（１）に引き付けるテーパー面部（３２２ａ）（３２２ｂ）が予め設けられている。本実施形態では、テーパー面部（３２２ａ）（３２２ｂ）は、締結ネジ（５ａ）（５ｂ）のテーパー状のネジ先端部（５１ａ）（５１ｂ）が当接してその回動時に滑り込み易い擂り鉢状の全体形状を有している。
【００２６】
以上の連結部材（３）によって一のフレーム（１）に対して直角連結される他のフレーム（２）は、その内部に長手方向に沿っての断面円状、つまり上記丸棒状の突出部（３２）をちょうど嵌挿できる形状の中空部（２２）が形成されたものとなっている。また、この中空部（２２）に隣接して、側面に開口した蟻溝（２１）も形成されている。中空部（２２）の壁板（２２１）にはネジ孔（２２２ａ）（２２２ｂ）が設けられているが、この壁板（２２１）は、中空部（２２）と蟻溝（２１）とを区画する内壁板でもあり、その蟻溝（２１）側の壁面は蟻溝（２１）の奥壁面（２１１）を兼ねている。
【００２７】
これにおいて、上記第１の実施形態と同様に一方の突出部（３１）が一のフレーム（１）の蟻溝（１１）へ挿入且つ固定された状態で、他のフレーム（２）の中空部（２２）内に挿入された他方の突出部（３２）を、ネジ孔（２２２ａ）（２２２ｂ）からテーパー面部（３２２ａ）（３２２ｂ）への締結ネジ（５ａ）（５ｂ）のねじ込みにより中空部（２２）に固定させるとともに、他のフレーム（２）を一のフレーム（１）へ引き付けて、直結連結を完了させる。
【００２８】
より具体的には、まず、締結ネジ（５ａ）（５ｂ）を、蟻溝（２１）の開口部分から中空部（２２）のネジ孔（２２２ａ）（２２２ｂ）にねじ込み、そのネジ先端部（５１ａ）（５１ｂ）を、ネジ孔（２２２ａ）（２２２ｂ）から突出させてテーパー面部（３２２ａ）（３２２ｂ）に接触させる。この状態でさらに締結ネジ（５ａ）（５ｂ）をねじ込むと、ネジ先端部（５１ａ）（５１ｂ）がその回動に従ってテーパー面部（３２２ａ）（３２２ｂ）の傾斜に沿って滑り込み、他方の突出部（３２）を一方の突出部（３１）から離れる方向（図１中の矢印Ａの方向）にスライドさせる動きが、他のフレーム（２）を一のフレーム（１）に近づく方向（図１中の矢印Ｂの方向）に引き付ける動きとなって発生する。すなわち、締結ネジ（５ａ）（５ｂ）に対するねじ込み力がネジ先端部（５１ａ）（５１ｂ）およびテーパー面部（３２２ａ）（３２２ｂ）を介して他のフレーム（２）に対する引き付け力に変換されるのである。
【００２９】
以上により、他のフレーム（２）の小口面は一のフレーム（１）の側面にしっかりと当接して押し付けられ、高い直角精度および直角強度をもって正確な直角連結が実現される。
【００３０】
［第３の実施形態］
図７〜図９は、各々、この出願の発明の別の一実施形態を例示したものである。
【００３１】
本実施形態では、連結部材（３）の一方の突出部（３１）および一のフレーム（１）との構成は上記第１および第２の実施形態と同様なものとなっているが、第１の実施形態において他のフレーム（２）の蟻溝（２１）に設けられているテーパー面部（２１２ａ）（２１２ｂ）や第２の実施形態において連結部材（３）の他方の突出部（３２）に設けられているテーパー面部（３２２ａ）（３２２ｂ）と同様なテーパー面部（２２３）が、他のフレーム（２）の中空部（２２）の壁板（２２１）に設けられており、また、その中空部（２２）に挿入される連結部材（３）の他方の突出部（３２）には、テーパー面部（２２３）を貫通した締結ネジ（７）がねじ込まれるネジ孔（３２３）が設けられている。そしてさらに、この締結ネジ（７）は、そのネジ頭（７１）にテーパー面部（７１１）を有するものとなっている。
【００３２】
この場合さらに説明すると、まず、連結部材（３）の他方の突出部（３２）は、角棒状のものとなっており、プレート状の一方の突出部（３１）における他のフレーム（２）の小口面に面する部位の適宜位置にて当該一方の突出部（３１）と垂直に連結され一体化されている。
【００３３】
この角棒状の他方の突出部（３２）には、他のフレーム（２）の蟻溝（２１）から挿入され且つ中空部（２２）の壁板（２２１）に設けられたテーパー面部（２２３）を貫通した締結ネジ（７）がねじ込まれるネジ孔（３２３）が設けられている。
【００３４】
以上の連結部材（３）によって一のフレーム（１）に対して直角連結される他のフレーム（２）は、その内部に長手方向に沿っての中空部（２２）が形成されたものとなっている。この中空部（２２）は、上記第２の実施形態における断面円状の中空部（２２）とは異なる断面形状を有しており、上記角棒状の突出部（３２）が嵌挿できる形状となっている。また、この中空部（２２）に隣接して、側面に開口した蟻溝（２１）も形成されている。中空部（２２）の壁板（２２１）にはテーパー面部（２２３）が設けられているが、この壁板（２２１）は、中空部（２２）と蟻溝（２１）とを区画する内壁板でもあり、その蟻溝（２１）側の壁面は蟻溝（２１）の奥壁面（２１１）を兼ねている。
【００３５】
これにおいて、上記第１および第２の実施形態と同様に一方の突出部（３１）が一のフレーム（１）の蟻溝（１１）へ挿入且つ固定された状態で、他のフレーム（２）の中空部（２２）内に挿入された他方の突出部（３２）を、蟻溝（２１）から中空部（２２）のテーパー面部（２２３）を通した締結ネジ（７）のネジ孔（３２３）へのねじ込みにより中空部（２２）に固定させるとともに、他のフレーム（２）を一のフレーム（１）へ引き付けて、直結連結を完了させる。
【００３６】
より具体的には、まず、締結ネジ（７）を、蟻溝（２１）の開口部分から中空部（２２）のテーパー面部（２２３）を通して他方の突出部（３２）のネジ孔（３２３）にねじ込み、そのネジ頭（７１）のテーパー面部（７１１）を中空部（２２）のテーパー面部（２２３）に接触させる。この状態でさらに締結ネジ（７）をねじ込むと、テーパー面部（７１１）がその回動に従ってテーパー面部（２２３）の傾斜に沿って滑り込み、他方の突出部（３２）を一方の突出部（３１）から離れる方向（図１中の矢印Ａの方向）にスライドさせる動きが、他のフレーム（２）を一のフレーム（１）に近づく方向（図１中の矢印Ｂの方向）に引き付ける動きとなって発生する。すなわち、締結ネジ（７）に対するねじ込み力がネジ頭（７１）のテーパー面部（７１１）および中空部（２２）のテーパー面部（２２３）を介して他のフレーム（２）に対する引き付け力に変換されるのである。
【００３７】
以上により、他のフレーム（２）の小口面は一のフレーム（１）の側面にしっかりと当接して押し付けられ、高い直角精度および直角強度をもって正確な直角連結が実現される。
【００３８】
なお、本実施形態では、連結部材（３）に、他方の突出部（３２）と並行した、それより若干短い別の突出部（３３）が設けられてもいる。この突出部（３３）も、一方の突出部（３１）における他のフレーム（２）の小口面に面する部位の適宜位置にて当該一方の突出部（３１）と垂直に連結され一体化されている。
【００３９】
そして、この突出部（３３）は、他のフレーム（２）の蟻溝（２１）に嵌挿され、それに設けられたネジ孔（３３１）への連結ネジ（８）のねじ込みによって蟻溝（２１）に固定されるようになっている。
【００４０】
これにより、上記突出部（３１）（３２）による連結効果と相まって、さらに一層正確な直角連結が実現されることとなる。
【００４１】
［第４の実施形態］
図１０および図１１は、各々、この出願の発明の別の一実施形態を例示したものである。
【００４２】
本実施形態では、連結部材（３）の形状が、上記第３の実施形態における連結部材（３）とは若干異なるものとなっており、特に他のフレーム（２）の中空部（２２）に挿入される突出部（３２）が丸棒状となっている。この場合、図示していないが、他のフレーム（２）の中空部（２２）は、丸棒状の突出部（３２）が嵌挿できる断面丸状のものとする。
【００４３】
それ以外の構成は上記第３の実施形態と同じであり、一のフレーム（１）および他のフレーム（２）の直角連結も同様に行われ、正確な直角連結が実現される。
【００４４】
もちろん、この出願の発明は以上の実施形態に限定されるものではなく、細部については様々な態様が可能である。
【産業上の利用可能性】
【００４５】
以上詳しく説明した通り、この出願の発明によって、直角連結の際の直角精度および直角強度を向上させることのできるフレーム連結構造が提供される。
【図面の簡単な説明】
【００４６】
【図１】（ａ）（ｂ）（ｃ）は、各々、この出願の発明の一実施形態を例示した直角連結を正視した内部透視正面図、内部透視平面図および他のフレーム側から見た内部透視側面図ある。
【図２】（ａ）（ｂ）（ｃ）は、各々、図１の実施形態における連結部材を例示した正面図、平面図および側面図ある。
【図３】（ａ）（ｂ）（ｃ）は、各々、この出願の発明の別の一実施形態を例示した内部透視平面図、直角連結を正視した内部透視正面図および他のフレーム側から見た内部透視側面図ある。
【図４】（ａ）（ｂ）（ｃ）は、各々、図３の実施形態における連結部材を例示した平面図、正面図および側面図ある。
【図５】（ａ）（ｂ）（ｃ）は、各々、図３の実施形態における連結部材の一方の突出部を例示した平面図、正面図および側面図ある。
【図６】（ａ）（ｂ）（ｃ）は、各々、図３の実施形態における連結部材の他方の突出部を例示した平面図、正面図および側面図ある。
【図７】（ａ）（ｂ）（ｃ）は、各々、この出願の発明のさらに別の一実施形態を例示した平面図、一のフレーム側から見た内部透視側面図および直角連結を正視した内部透視正面図ある。
【図８】（ａ）（ｂ）は、各々、図７の実施形態における他のフレームを例示した側面図および正面図である。
【図９】（ａ）〜（ｆ）は、各々、図７の実施形態における連結部材を例示した平面図、一のフレーム側から見た側面図、正面図、他のフレーム側から見た側面図、正面図中のＢ−Ｂ線断面図およびＡ−Ａ線断面図である。
【図１０】（ａ）〜（ｄ）は、各々、この出願の発明のまたさらに別の一実施形態としての連結部材を例示した側面図、裏面図、正面図および側面図ある。
【図１１】（ａ）〜（ｄ）は、各々、図２の連結部材における他方の突出部を例示した側面図、平面図、正面図および側面図ある。
【符号の説明】
【００４７】
１  一のフレーム
１１  蟻溝
１１１  奥壁面
１１２  手前壁面
２  他のフレーム
２１  蟻溝
２１１  奥壁面
２１２ａ，２１２ｂ  テーパー面部
２２  中空部
２２１  壁板
２２２ａ，２２２ｂ  ネジ孔
２２３  テーパー面部
３  連結部材
３１  突出部
３１１ａ，３１１ｂ  ネジ孔
３１２  ネジ孔
３２  突出部
３２１ａ，３２１ｂ  ネジ孔
３２２ａ，３２２ｂ  テーパー面部
３２３  ネジ孔
３３  突出部
３３１  ネジ孔
４ａ，４ｂ  締結ネジ
５ａ，５ｂ  締結ネジ
５１ａ，５１ｂ  ネジ先端部
６  連結ネジ
７  締結ネジ
７１  ネジ頭
７１１  テーパー面部
８  連結ネジ
【図１】
2005207559.tif 000003
【図２】
2005207559.tif 000004
【図３】
2005207559.tif 000005
【図４】
2005207559.tif 000006
【図５】
2005207559.tif 000007
【図６】
2005207559.tif 000008
【図７】
2005207559.tif 000009
【図８】
2005207559.tif 000010
【図９】
2005207559.tif 000011
【図１０】
2005207559.tif 000012
【図１１】
2005207559.tif 000013